(57)【要約】  本発明の目的とするところは、遠隔で自宅内のデバイスを手軽に活用できるようにするための遠隔制御方法及びそれを用いた遠隔制御システムを提供することにある。  遠隔制御システム及び遠隔制御方法が開示される。本遠隔制御システムによると、第１デバイス及び第１デバイスを操作するために設けられた操作手段に基づいて生成される映像を用いて、第１デバイスを制御する第２デバイスを含む。これにより、ユーザにより遠隔でホームデバイスを手軽に活用できるし、自宅内においてホームデバイスを直接操作することと同様の効果が感じられるようにする。
2013502818.tif 000002
【特許請求の範囲】
【請求項１】
第１デバイスと、
前記第１デバイスを操作するために設けられた操作手段に基づいて生成される映像を用いて、前記第１デバイスを制御する第２デバイスと
を含む遠隔制御システム。
【請求項２】
前記第１デバイスを操作するために設けられた操作手段は、
前記第１デバイスに設けられたＵＩ、又は前記第１デバイスを被制御対象とする制御対象デバイスに設けられたＵＩであることを特徴とする請求項１に記載の遠隔制御システム。
【請求項３】
前記映像は、前記操作手段をグラフィック化したＧＵＩ映像、又は前記操作手段の操作により前記第１デバイスの画面に表示されるＧＵＩ映像であり、
前記第２デバイスは、前記ＧＵＩ映像を操作し、前記第１デバイスを制御することを特徴とする請求項１に記載の遠隔制御システム。
【請求項４】
前記第２デバイスは、
前記ＧＵＩ映像の表示されるタッチスクリーンを備え、前記ＧＵＩ映像に対するタッチが入力されると、前記操作手段が入力された際に生成される制御信号と同様の制御信号を生成して前記第１デバイスに伝送することにより、前記第１デバイスを制御することを特徴とする請求項３に記載の遠隔制御システム。
【請求項５】
前記操作手段が複数個である場合、前記ＧＵＩ映像は前記複数の操作手段に相当する個数だけ生成され、各々の操作手段は各々のＧＵＩ映像に対応することを特徴とする請求項３に記載の遠隔制御システム。
【請求項６】
前記操作手段が操作されて前記第１デバイスに伝達される制御信号と、前記第２デバイスを通じて前記映像が選択されて前記第１デバイスに伝達される制御信号とは、同一であることを特徴とする請求項１に記載の遠隔制御システム。
【請求項７】
前記映像は、前記第１デバイスから生成されて前記第２デバイスに伝達されることを特徴とする請求項１に記載の遠隔制御システム。
【請求項８】
前記映像は、前記第２デバイスから前記映像に対する伝送要求がある場合、前記第１デバイスから前記第２デバイスに伝達されることを特徴とする請求項７に記載の遠隔制御システム。
【請求項９】
前記第１デバイスは、自宅内に設けられているホームデバイスであり、前記第２デバイスは、自宅外でユーザが携帯可能なポータブルデバイスであり、
前記第２デバイスは、無線通信を用いて遠隔で前記第１デバイスを制御することを特徴とする請求項１に記載の遠隔制御システム。
【請求項１０】
第２デバイスを用いた第１デバイスの遠隔制御方法において、
前記第１デバイスを操作するために設けられた操作手段に基づいて映像を生成するステップと、
前記第２デバイスが前記映像を用いて、前記第１デバイスを制御するステップと
を含む遠隔制御方法。
【発明の詳細な説明】
【技術分野】
【０００１】
本発明は、遠隔制御方法及びそれを用いた遠隔制御システムに関し、より詳細には、被制御デバイスのＵＩに基づいて生成されたＧＵＩを用いた遠隔制御方法及びそれを用いた遠隔制御システムに関する。
【背景技術】
【０００２】
一般に、遠隔制御システムは、デバイスを遠隔地から制御するためのシステムのことを意味する。このような遠隔制御システムの発展により、ユーザは空間的にあまり制約されずに、より便利にデバイスを制御できるようになっている。
【０００３】
しかし、このような遠隔制御システムの効率性及び実用化を高めるためには、更に解決すべき問題が多く残っている。このような問題の一つは、デバイスを直接操作する方法と、別のデバイスを通じて遠隔で操作する方法との間の現実感の違いであるいえる。
【０００４】
特に、テレビ（被制御デバイス）とリモコン（制御デバイス）との関係のように、通常の制御デバイスを使って被制御デバイスを操作する場合は問題にならないが、テレビ（被制御デバイス）とモバイルフォン（制御デバイス）、又は、ＭＰ３Ｐ（被制御デバイス）とノートパソコン（制御デバイス）との関係のように、通常の制御・被制御関係が定められていなかったり、両者のいずれにもなれる関係にある場合には、問題になるおそれがある。
【０００５】
即ち、モバイルフォンでテレビを操作しようとする場合、テレビを直接操作したり、リモコンを通じてテレビを操作していた方法と異なることにより、ユーザはその操作にかなりの不便さを感じざるを得ない。
【発明の概要】
【発明が解決しようとする課題】
【０００６】
そこで、本発明は、上記問題に鑑みてなされたものであり、本発明の目的とするところは、遠隔で自宅内のデバイスを手軽に活用できるようにするための遠隔制御方法及びそれを用いた遠隔制御システムを提供することにある。
【課題を解決するための手段】
【０００７】
前記目的を達成するための本発明の一実施形態に係る遠隔制御システムは、第１デバイスと、前記第１デバイスを操作するために設けられた操作手段に基づいて生成される映像を用いて、前記第１デバイスを制御する第２デバイスとを含む。
【０００８】
ここで、前記第１デバイスを操作するために設けられた操作手段は、前記第１デバイスに設けられたＵＩ、又は前記第１デバイスを被制御対象とする制御対象デバイスに設けられたＵＩであってよい。
【０００９】
そして、前記映像は、前記操作手段をグラフィック化したＧＵＩ映像、又は前記操作手段の操作により前記第１デバイスの画面に表示されるＧＵＩ映像であり、前記第２デバイスは、前記ＧＵＩ映像を操作し、前記第１デバイスを制御してよい。
【００１０】
なお、前記第２デバイスは、前記ＧＵＩ映像の表示されるタッチスクリーンを備え、前記ＧＵＩ映像に対するタッチが入力されると、前記操作手段が入力された際に生成される制御信号と同様の制御信号を生成して前記第１デバイスに伝送することにより、前記第１デバイスを制御してよい。
【００１１】
そして、前記操作手段が複数個である場合、前記ＧＵＩ映像は前記複数の操作手段に相当する個数だけ生成され、各々の操作手段は各々のＧＵＩ映像に対応してよい。
【００１２】
なお、前記操作手段が操作されて前記第１デバイスに伝達される制御信号と、前記第２デバイスを通じて前記映像が選択されて前記第１デバイスに伝達される制御信号とは、同一であってよい。
【００１３】
そして、前記映像は、前記第１デバイスから生成されて前記第２デバイスに伝達されてよい。
【００１４】
なお、前記映像は、前記第２デバイスから前記映像に対する伝送要求がある場合、前記第１デバイスから前記第２デバイスに伝達されてよい。
【００１５】
そして、前記第１デバイスは、自宅内に設けられているホームデバイスであり、前記第２デバイスは、自宅外でユーザが携帯可能なポータブルデバイスであり、前記第２デバイスは、無線通信を用いて遠隔で前記第１デバイスを制御してよい。
【００１６】
一方、前記目的を達成するための本発明の一実施形態に係る第２デバイスを用いた第１デバイスの遠隔制御方法は、前記第１デバイスを操作するために設けられた操作手段に基づいて映像を生成するステップと、前記第２デバイスが前記映像を用いて、前記第１デバイスを制御するステップとを含む。
【発明の効果】
【００１７】
以上説明したように本発明によれば、ユーザにより遠隔でホームデバイスを手軽に活用できるようにし、自宅内においてホームデバイスを直接操作することと同様の効果が感じられるようにする。
【図面の簡単な説明】
【００１８】
【図１】本発明の一実施形態に係る遠隔制御過程を説明するための図である。
【図２】モバイルフォンにＥＰＧが受信された様子を示す図である。
【図３】モバイルフォンで予約録画するための放送番組を選択する様子を示す図である。
【図４】予約録画完了を報知するＲｅｍｉｎｄｅｒがモバイルフォンに受信された様子を示す図である。
【図５】本発明の別の実施形態に係る遠隔制御過程を説明するための図である。
【図６】本発明の更に別の実施形態に係る遠隔制御過程を説明するための図である。
【図７】遠隔制御のためのＲＵＩを示す図である。
【図８】遠隔予約録画のためのＲＵＩを示す図である。
【図９】本発明の更に別の実施形態に係る遠隔制御過程を説明するための図である。
【図１０】本発明の更に別の実施形態に係る遠隔制御過程を説明するための図である。
【図１１】モバイルフォンで放送時間変更メッセージが受信された様子を示す図である。
【図１２】本発明の更に別の実施形態に係る遠隔制御過程を説明するための図である。
【図１３】モバイルフォンで予約録画完了メッセージが受信された様子を示す図である。
【図１４】モバイルフォンで予約録画された放送番組が再生される様子を示す図である。
【図１５】遠隔制御のための動作フローを示す図である。
【図１６】モバイルフォンに対する構成を示すブロック図である。
【図１７】テレビに対する構成を示すブロック図である。
【発明を実施するための形態】
【００１９】
以下に添付図面を参照しながら、本発明の好適な実施形態について詳細に説明する。
特に、図１ないし図５を参照しながら、遠隔制御システムの概略的な動作過程について説明し、図６ないし図９を参照しながら、ＲＵＩ（Ｒｅｍｏｔｅ  Ｕｓｅｒ  Ｉｎｔｅｒｆａｃｅ）を通じて予約録画を行う方法について説明する。なお、図１０ないし図１４を参照しながら、遠隔制御システムの下で可能な別途機能の例について説明し、図１５ないし図１７を参照しながら、遠隔制御のためのプロセスと構成について説明する。
【００２０】
＜放送録画のための遠隔制御システム＞
以下では、図１ないし図５を参照しながら、遠隔制御システムの概略的な動作過程について説明する。
【００２１】
図１は、本発明の一実施形態に係る遠隔制御過程を説明するための図である。本実施形態に係る遠隔制御システムは、自宅内のデバイスを遠隔で調整できるようにし、ユーザが空間的に制約されずに自宅内のデバイスを手軽に活用できるようにする。
【００２２】
図１に示すように、遠隔制御システムは、モバイルフォン１００とテレビ２００とで構成される。
【００２３】
モバイルフォン１００は、ユーザが携帯して持ち歩くポータブルデバイスの一種として、別の通信加入者との通話のための究極的な目的の他に、自宅内に設けられているデバイスの遠隔制御のための付加的な目的としても使われる。
【００２４】
テレビ２００は、自宅内における固定の場所で装着されて使用される固定式のデバイスの一種として、ユーザに放送番組を提供する究極的な目的の他に、放送局から受信された放送番組を録画するなどの付加的な目的としても使われる。
【００２５】
図１には、自宅内に設けられているデバイスの遠隔制御に対する一例として、モバイルフォン１００を用いて自宅内のテレビ２００を制御し、放送番組に対する録画を遠隔で予約する過程に対する内容が示されている。
【００２６】
遠隔予約録画のために、モバイルフォン１００は放送局３００からＥＰＧ（Ｅｌｅｃｔｒｏｎｉｃ  Ｐｒｏｇｒａｍ  Ｇｕｉｄｅ）を受信し、どのチャネルでどの時間的にどのような番組が放送されるかに対する情報を確認できるようになる。このような内容が図２に示されている。
【００２７】
図２は、モバイルフォン１００にＥＰＧが受信された様子を示す図である。図２に示すように、放送局３００からＥＰＧが受信されると、受信されたＥＰＧがモバイルフォン１００の画面に表示され、ユーザはモバイルフォン１００を介して放送番組をチャネル別、時間帯別に確認して予約録画のための準備ができるようになる。
【００２８】
このようなＥＰＧは、放送局３００からモバイルフォン１００に、予め設定された周期ごとに伝送されるようにしたり、ユーザのＥＰＧ伝送要求がある場合に伝送されるようにすることができる。
【００２９】
図１に戻って説明すると、モバイルフォン１００と同様に、テレビ２００も放送局３００からＥＰＧを受信するようになる。なお、図示されてはいないが、テレビ２００はＥＰＧとともに各チャネルごとの放送番組も受信するようになる。
【００３０】
一方、このように、ＥＰＧが受信されると、ユーザは受信されたＥＰＧを参考にし、放送番組に対する予約録画が可能になる。予約録画のための画面が図３に示されている。
【００３１】
図３は、モバイルフォン１００で予約録画するための放送番組を選択する様子を示す図である。図３に示すように、ユーザはＥＰＧを確認した後、モバイルフォン１００に予約録画のための画面が表示されるようにし、画面に示されたキーパッドを用いて予約録画の対象時間を入力することができる。これにより、ユーザは予約録画を所望の時間帯を選択するようになる。
【００３２】
なお、図示されてはいないが、画面に表示されているキーパッドを用いてチャネル番号を入力してチャネルを選択したり、カーソルの上下左右への移動で放送番組を選択することもできる。
【００３３】
無論、本実施形態に係るモバイルフォン１００はタッチスクリーン方式で動作し、キーパッドがタッチスクリーン方式で画面に表示されるものとして想定しているが、タッチスクリーンではない、別途の機械式のキーパッド又は電子式のキーパッドを備える場合にも、本発明がそのまま適用されてよい。
【００３４】
図１に戻って説明すると、このように、ユーザが、自宅外から自宅内にあるテレビ２００を介して遠隔予約録画をするための放送番組を選択すると、ユーザの所持するモバイルフォン１００を介して、特定チャネルで特定時間帯の特定番組に対する予約録画設定のための制御命令がテレビ２００に伝送される。
【００３５】
テレビ２００は、モバイルフォン１００から受信された制御命令に基づいて、ユーザの指定した特定チャネルで特定時間帯の特定番組に対する予約録画設定の作業を行う。その後、テレビ２００は、正常に予約録画設定が行われていることを報知するＲｅｍｉｎｄｅｒをモバイルフォン１００に伝送する。このようなＲｅｍｉｎｄｅｒに対する内容が、図４に示されている。
【００３６】
図４は、予約録画完了を報知するＲｅｍｉｎｄｅｒがモバイルフォン１００に受信された様子を示す図である。図４に示すように、ユーザはテレビ２００から受信されたＲｅｍｉｎｄｅｒを確認し、正常に予約録画が行われているか否かを知ることができる。
【００３７】
以上で説明したように、ユーザは、携帯するデバイスであるモバイルフォン１００を用いて自宅内に設けられているデバイスであるテレビ２００を遠隔で制御でき、それにより、遠隔で自宅内のデバイスを手軽に活用できるようになる。
【００３８】
一方、図５は、本発明の別の実施形態に係る遠隔制御過程を説明するための図である。本実施形態に係る遠隔制御システムも、自宅内のデバイスを遠隔で調整できるようにし、ユーザが空間的に制約されずに、自宅内のデバイスを手軽に活用できるようにする。以下では、図１ないし図４と重なる内容に対しては省略し、図１ないし図４との相違点に着目して説明する。
【００３９】
テレビ２００は、放送局３００からＥＰＧを受信するようになる。
【００４０】
一方、放送局３００からテレビ２００にＥＰＧが伝送されたため、モバイルフォン１００はテレビ２００に伝送されて保存されたＥＰＧを活用することができる。即ち、モバイルフォン１００は、ＥＰＧ伝送に対する要求をテレビ２００に伝達し、テレビ２００からＥＰＧを受信し、受信されたＥＰＧを通じて、どのチャネルでどの時間的にどのような番組が放送されるかに対する情報を確認できるようになる。このようなＥＰＧは、テレビ２００からモバイルフォン１００に、予め設定された周期ごとに伝送されるようにし、ユーザのＥＰＧ伝送要求がある場合に、テレビ２００からモバイルフォン１００に伝送されるようにすることができる。
【００４１】
これにより、ユーザは、ユーザの所持していないテレビ２００から伝送され、ユーザの所持するモバイルフォン１００に伝送されたＥＰＧを用いて、どのチャネルでどの時間的にどのような番組が放送されるかに対する情報を確認でき、確認された情報により、特定チャネルで特定時間帯の特定番組に対する予約録画設定のための制御命令をテレビ２００に伝送して予約録画設定が可能となる。
【００４２】
このような方法によっても、ユーザは遠隔で自宅内のデバイスを手軽に活用することができる。
【００４３】
＜予約録画のためのＲＵＩ提供方法＞
以下では、図６ないし図９を参照しながら、ＲＵＩ（Ｒｅｍｏｔｅ  Ｕｓｅｒ  Ｉｎｔｅｒｆａｃｅ）を通じて予約録画を行う方法について説明する。
【００４４】
図６は、本発明の更に別の実施形態に係る遠隔制御過程を説明するための図である。本実施形態では、図１において説明した方式、図５において説明した方式、又はその他の方式を通じてモバイルフォン１００がＥＰＧを既に受信しているものとして想定する。
【００４５】
モバイルフォン１００がＥＰＧを受信した状態で、ＥＰＧを通じて放送番組の予約録画をするために、モバイルフォン１００はテレビ２００からテレビ２００を操作するために使われるＵＩ（Ｕｓｅｒ  Ｉｎｔｅｒｆａｃｅ）が提供されることができる。このようなＵＩは、実際にテレビ２００を操作する際に使われるリモコン（図示せず）のボタンに対する模様と同様の形のグラフィックとなっているＧＵＩ（Ｇｒａｐｈｉｃ  Ｕｓｅｒ  Ｉｎｔｅｒｆａｃｅ）である。これに対する内容が、図７に示されている。
【００４６】
図７は、遠隔制御のためのＲＵＩ（Ｒｅｍｏｔｅ  Ｕｓｅｒ  Ｉｎｔｅｒｆａｃｅ）を示す図である。図７に示すように、モバイルフォン１００の画面にはテレビ２００を操作する際に使われるリモコンのボタンと同様のグラフィックがＧＵＩとして表示される。
【００４７】
モバイルフォン１００は、タッチスクリーン方式で動作されるため、ユーザは、タッチスクリーンの画面に表示されている複数のグラフィックボタン（音量∧、音量∨、チャネル∧、チャネル∨、方向キー、確認キー、取り消しキー）を各々選択し、テレビ２００を操作できるようになる。即ち、ユーザが画面に表示されているグラフィックボタンのうちいずれか一つを選択すると、選択されたグラフィックボタンに相当する制御信号が生成されてテレビ２００に無線伝送され、テレビ２００は受信された制御信号に基づいて動作するようになる。
【００４８】
従って、ユーザは、自宅不在の場合にも、モバイルフォン１００の画面に表示されているＧＵＩを操作することにより、自宅内に存在するテレビ２００を遠隔で制御でき、自宅内に存在するテレビ２００のリモコンを操作するものと同様の効果をテレビ２００にもたらすことができるようになる。
【００４９】
このように、モバイル１００の画面に表示されているＧＵＩを通じて遠隔でテレビ２００を制御することができるため、このようなＧＵＩをＲＵＩという。
【００５０】
一方、予約録画のために、モバイルフォン１００の画面には、図８に示すように、ＥＰＧとＲＵＩが同時に表示されてよい。図８は、遠隔予約録画のためのＲＵＩを示す図である。
【００５１】
このように、ＥＰＧとＲＵＩが同時に表示されることにより、ユーザは、自宅内で実際にテレビ２００のリモコンを用いて放送番組に対する予約録画を行うものと同様の効果を感じることができる。
【００５２】
なお、このように、ＥＰＧとＲＵＩが同時に表示されることにより、図３において説明したように、予約録画の対象時間を直接入力したり、予約録画の対象チャネル番号を直接入力する必要がなくなる。即ち、ユーザはＲＵＩのうちの方向キーをタッチする操作のみで、ＥＰＧに表示されている放送番組のうち、いずれか一つの放送番組を選択することができる。
【００５３】
例えば、方法キーのうちの左右方向キーをタッチするとチャネルが選択でき、方向キーのうちの上下方向キーをタッチすると番組時間帯が選択できる。なお、このように、方向キーのタッチを通じて予約録画する放送番組が選択されると、ユーザは、ＲＵＩのうちの確認キーをタッチする操作のみで、選択された放送番組の予約録画を確定できるようになる。
【００５４】
このように、放送番組の予約録画が確定されると、モバイルフォン１００は確定された放送番組に対する予約録画命令をテレビ２００に伝送し、テレビ２００は受信された予約録画命令に基づいて放送番組を予約するようになる。
【００５５】
一方、以上では、ＲＵＩを通じて最終的に確定された予約録画命令をテレビ２００に伝送するものとして想定しているが、グラフィックボタンが一々選択される度に、選択されたグラフィックボタンに相当する信号又は命令がテレビ２００に伝達されるようにし、放送番組を予約することもできる。これに対する説明のために、図９を参照する。
【００５６】
図９は、本発明の更に別の実施形態に係る遠隔制御過程を説明するための図である。図９に示すように、本発明においては、モバイルフォン１００がＥＰＧとＲＵＩを既に受信しているものとして想定する。
【００５７】
上述のように、モバイルフォン１００は画面に表示されているＥＰＧとＲＵＩを通じて放送番組の予約録画ができるようになる。但し、本実施形態では、ＲＵＩのうちのグラフィックボタンが一々選択される度に、選択されたグラフィックボタンに相当する信号又は命令がテレビ２００に伝達されるようになる。
【００５８】
先ず、ユーザがＲＵＩのうちの右方向キーをタッチした場合、右方向キーのタッチされた動作に相当するように、モバイルフォン１００のＥＰＧのうちの特定チャネルの放送番組に位置しているカーソルが、右方向に位置したチャネルの放送番組に移動するようになる。なお、それと同時に、右方向キーのタッチされた動作に相当する「チャネルＵＰ」信号がテレビ２００に伝送されるようになる。それにより、テレビ２００は「チャネルＵＰ」信号を受信し、受信された「チャネルＵＰ」に相当する動作を行うようになる。
【００５９】
そして、ユーザがＲＵＩのうちの下方向キーをタッチした場合、下方向キーのタッチされた動作に相当するように、モバイルフォン１００のＥＰＧのうちの特定時間帯に位置しているカーソルが、下方向に位置した時間帯の放送番組に移動するようになる。なお、それと同時に、下方向キーのタッチされた動作に相当する「時間帯ＤＯＷＮ」信号がテレビ２００に伝送されるようになる。それにより、テレビ２００は「時間帯ＤＯＷＮ」信号を受信し、受信された「時間帯ＤＯＷＮ」に相当する動作を行うようになる。
【００６０】
最後に、ユーザがＲＵＩのうちの確認キーをタッチした場合、確認キーのタッチされた動作に相当するように、モバイルフォン１００のＥＰＧのうちのカーソルが位置した放送番組の予約が完了するようになる。なお、それと同時に、確認キーのタッチされた動作に相当する「予約録画確定」信号がテレビ２００に伝送されるようになる。それにより、テレビ２００は「予約録画確定」信号を受信し、受信された「予約録画確定」に相当する動作を行うようになる。
【００６１】
このような動作により予約録画が確定されると、テレビ２００は正常に予約録画設定が行われていることを報知するＲｅｍｉｎｄｅｒをモバイルフォン１００に伝送する。
【００６２】
このように、モバイルフォン１００の操作と、実際のテレビ２００の操作との間の連動を通じて、ユーザが、自宅内で実際にテレビ２００のリモコンを用いて放送番組に対する予約録画を行うものと同様の効果をもたらすことができるようになる。
【００６３】
＜遠隔制御システムの下における別の機能＞
以下では、図１０ないし図１４を参照しながら、遠隔制御システムの下で可能な別途機能の例について説明する。
【００６４】
図１０は、本発明の更に別の実施形態に係る遠隔制御過程を説明するための図である。図１０に示すように、本実施形態においては、モバイルフォン１００がＥＰＧとＲＵＩを既に受信しているものとして想定する。
【００６５】
上述のように、モバイルフォン１００を介して放送番組に対する予約録画設定が完了すると、テレビ２００は、モバイルフォン１００にＲｅｍｉｎｄｅｒを伝送し、予約録画時間を待ってから予約録画を進めるようになる。
【００６６】
しかし、予約録画の設定された放送番組の放送時間が変更されると、テレビ２００は変更された放送時間に応じて予約録画を行うか否かをユーザに確認してもらうことができる。それは、変更された予約録画時間には、別途に録画することなく、ユーザ自らが自宅内でテレビ２００で放送を視聴できることなども考慮したものである。
【００６７】
従って、テレビ２００は放送時間が変更されたことを報知するメッセージをユーザに報知するようになる。具体的に、放送時間変更メッセージをユーザに報知するために、テレビ２００は従来に予約録画設定が入力されていたデバイスであるモバイルフォン１００に対する情報を抽出す、抽出された情報に基づいてモバイルフォン１００に放送時間変更メッセージを伝送する。
【００６８】
放送時間変更メッセージに対する内容が図１１に示されている。図１１は、モバイルフォン１００で放送時間変更メッセージが受信された様子を示す図である。
【００６９】
このように、テレビ２００は放送時間が変更されたという情報とともに変更された放送時間に対する情報を放送時間変更メッセージとしてモバイルフォン１００に伝送し、モバイルフォン１００は受信された放送時間変更メッセージを画面に表示してユーザに提供するようになる。
【００７０】
図１０に戻って説明すると、ユーザはモバイルフォン１００の画面に表示されている放送時間変更メッセージに基づいて予約録画変更設定ができ、モバイルフォン１００は変更された予約録画設定に対する信号をテレビ２００に伝送し、テレビ２００は変更された予約録画設定に対するＲｅｍｉｎｄｅｒをモバイルフォン１００に再伝送するようになる。
【００７１】
これにより、放送時間が変更された場合においての予約録画のためのユーザの便宜性を増大させることができるようになる。
【００７２】
図１２は、本発明の更に別の実施形態に係る遠隔制御過程を説明するための図である。図１２に示すように、本実施形態では、モバイルフォン１００がＥＰＧとＲＵＩを既に受信しているものとして想定する。
【００７３】
上述のように、モバイルフォン１００を介して放送番組に対する予約録画設定が完了すると、テレビ２００は、モバイルフォン１００にＲｅｍｉｎｄｅｒを伝送し、予約録画時間を待ってから予約録画を進めるようになる。
【００７４】
その後、予約録画が完了すると、テレビ２００はモバイルフォン１００に予約録画が完了しているというメッセージを伝送する。それは、予約録画が正常に進められたか否かに対してユーザに確認してもらうことができるようにすること、及び予約録画された放送番組をモバイルフォン１００を介して視聴できるようにすることなどを考慮したものである。
【００７５】
予約録画が完了していることを示すメッセージに対する内容が図１３に示されている。図１３は、モバイルフォン１００で予約録画完了メッセージが受信された様子を示す図である。
【００７６】
このように、テレビ２００は予約録画が完了していることを示す情報とともに予約録画された放送番組を視聴するか否かを問う情報を予約録画完了メッセージとしてモバイルフォン１００に伝送し、モバイルフォン１００は予約録画完了メッセージを画面に表示してユーザに提供するようになる。
【００７７】
一方、ユーザはモバイルフォン１００の画面に表示されているＲＵＩを操作し、予約録画済みの放送番組を視聴ことができる。即ち、ユーザは、録画された放送番組を視聴するか否かを問う情報のうち「Ｙ」を選択し、予約録画が完了した放送番組をモバイルフォン１００に伝送することを要求する信号をテレビ２００に伝送できるようになるのである。
【００７８】
このように、ＲＵＩを通じて「Ｙ」が選択されると、図１２に示すように、録画された放送の伝送要求に対する信号がテレビ２００に伝送され、テレビ２００は受信された信号に基づいて、録画された放送をモバイルフォン１００に伝送するようになる。
【００７９】
これにより、ユーザはモバイルフォン１００を介して予約録画された放送番組を視聴できるようになる。このような内容が図１４に示されており、図１４は、モバイルフォン１００で予約録画された放送番組が再生される様子を示す図である。
【００８０】
＜遠隔制御システムの動作フロー及び各デバイスの構成＞
以下では、遠隔制御システムの下における動作フローの全般と遠隔制御システムを構成するデバイスの構成について説明する。
【００８１】
図１５は、遠隔制御のための動作フローを示す図である。
【００８２】
まず、モバイルフォン１００は、テレビ２００からＥＰＧとＲＵＩとを受信する（Ｓ４１０）。無論、上述のように、ＥＰＧとＲＵＩとはモバイルフォン１００からの別途の伝送請求がある場合に、テレビ２００から受信されてよく、或いは、別途の伝送要求がない場合にも、テレビ２００から受信されてよい。なお、ＥＰＧは放送局３００から受信されてもよい。
【００８３】
モバイルフォン１００は受信されたＥＰＧとＲＵＩとを画面に表示し（Ｓ４２０）、画面に表示されたＲＵＩに対するユーザの操作に基づいてＥＰＧに存在するカーソルを移動させる（Ｓ４３０）。このようなＲＵＩの操作に相当する信号は、モバイルフォン１００でリアルタイムで生成されてテレビ２００に伝送され（Ｓ４４０）、テレビ２００はリアルタイムで受信された信号に基づいて動作されるようになる（Ｓ４５０）。
【００８４】
その後、モバイルフォン１００に表示されているＲＵＩに基づいてユーザから予約録画が設定されると（Ｓ４６０）、モバイルフォン１００は予約録画設定メッセージをテレビ２００に伝送する（Ｓ４７０）。テレビ２００は、受信された予約録画設定メッセージに基づいて録画を予約し（Ｓ４８０）、録画が予約されると録画が予約されていることを報知するＲｅｍｉｎｄｅｒをモバイルフォン１００に伝送する（Ｓ４９０）。
【００８５】
テレビ２００は、録画が予約された放送番組の放送時間が変更されたと判断されると（Ｓ５００−Ｙ）、放送時間が変更されたことを報知するメッセージをモバイルフォン１００に伝送し（Ｓ５１０）、モバイルフォン１００は受信されたメッセージに基づいて、ＲＵＩを操作して予約録画を変更して設定できるようになる（Ｓ５２０）。
【００８６】
予約録画が変更して設定されると、モバイルフォン１００は予約録画が変更設定されたというメッセージをテレビ２００に伝送し（Ｓ５３０）、テレビ２００はそれに基づいて録画を予約し直すようになる（Ｓ５４０）。
【００８７】
その後、録画が完了すると（Ｓ５５０−Ｙ）、テレビ２００は録画録画が完了していることを報知するメッセージをモバイルフォン１００に伝送する（Ｓ５６０）。
【００８８】
なお、ユーザからモバイルフォン１００を介して録画された放送に対する伝送要求がある場合（Ｓ５９０−Ｙ）、モバイルフォン１００は録画された放送を伝送することをテレビ２００に要求し（Ｓ５８０）、それによりテレビ２００は録画された放送をモバイルフォン１００に伝送するようになる（Ｓ５９０）。
【００８９】
このような過程によって、モバイルフォン１００はテレビ２００に録画された放送を視聴できるようになる。
【００９０】
一方、図１６は、モバイルフォン１００に対する構成を示すブロック図である。図１６においては、本発明の説明に必要な構成のみを概略的に示している。モバイルフォン１００は、映像処理部１１０と、通信部１２０と、制御部１３０と、タッチスクリーン１４０及び保存部１５０で構成される。
【００９１】
映像処理部１１０は、後述のタッチスクリーン１４０の画面にＥＰＧと、ＲＵＩ及び各種メッセージが表示されるように受信された信号を処理する。
【００９２】
通信部１２０は、テレビ２００のような被制御デバイスと通信し、遠隔予約録画のような遠隔制御命令をモバイルフォン１００に伝送し、Ｒｅｍｉｎｄｅｒや、ＥＰＧ、ＲＵＩ又は放送時間変更メッセージなどのような情報をモバイルフォン１００から受信する。
【００９３】
タッチスクリーン１４０は、ＥＰＧや、ＲＵＩ、各種メッセージなどをグラフィックで表示し、表示されたグラフィックをタッチする操作などを通じて入力されるユーザ命令を制御部１３０に伝達する。
【００９４】
保存部１５０は、遠隔制御のための情報及びモバイルフォン１００の全般を動作させるためのプログラムを保存する。遠隔制御のための情報にはテレビ２００又は放送局３００から受信されたＥＰＧ、テレビ２００から受信されたＲＵＩと各種メッセージが含まれる。このような保存部２７０は、ハードディスクや、非揮発性メモリなどで実現されてよい。
【００９５】
制御部１３０は、タッチスクリーン１４０から伝達されたユーザの操作に応じてモバイルフォン１００の動作全般を制御する。
【００９６】
図１７は、テレビ２００に対する構成を示すブロック図である。本実施形態に係るテレビ２００は、放送番組と番組情報を受信してユーザに提供する放送受信装置の一種である。図１７では、本発明の説明に必要な構成のみを概略的に示している。
【００９７】
図１７に示すように、テレビ２００は、放送受信部２１０と、放送処理部２２０と、放送出力部２３０と、ユーザ入力部２４０と、制御部２５０と、通信部２６０及び保存部２７０を備える。
【００９８】
放送受信部２１０は、上空（Ａｉｒ）又はケーブルを通じて、無線又は有線で受信される放送のうちいずれか一つを選局して復調する。
【００９９】
放送処理部２２０は、放送受信部２１０から出力される放送信号に対する信号処理を行う。具体的に、放送処理部２２０は、放送受信部２１０から出力される放送信号をオーディオ信号と、ビデオ信号及び付加データで分離する。放送信号から分離された付加データは制御部２５０に印加されるが、付加データはＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）情報であってよい。ＰＳＩＰ情報には、放送番組に対する情報、即ち、ＥＰＧが含まれている。
【０１００】
放送処理部２２０は、放送信号から分離されたオーディオ信号をデコーディングし、デコーディングされたオーディオ信号をテレビ２００に設けられているスピーカを通じて出力可能なフォーマットのオーディオ信号に変換する。
【０１０１】
なお、放送処理部２２０は、放送信号から分離されたビデオ信号をデコーディングし、デコーディングされたビデオ信号をテレビ２００に設けられているディスプレイを通じて出力可能なフォーマットのビデオ信号に変換する。そのために、放送処理部２２０は、デコーディングされたビデオ信号に対するカラー信号処理及びスケーリングなどを行う。
【０１０２】
更に、放送処理部２２０は、制御部２５０の制御下でディスプレイに表示されるＧＵＩを生成する。ここで、ＧＵＩは上述のＲＵＩだけでなく、テレビ２００の機能の実行に関するユーザ命令が入力され得るＧＵＩと、テレビ２００の動作状態を報知するＧＵＩも含まれる。
【０１０３】
放送出力部２３０は、放送処理部２２０から出力されるビデオ信号とオーディオ信号とに相当するビデオとオーディオとを出力してユーザに提供する。
【０１０４】
通信部２６０は、モバイルフォン１００のような制御デバイスと通信し、遠隔予約録画のような遠隔制御命令をモバイルフォン１００から受信し、Ｒｅｍｉｎｄｅｒや、ＥＰＧ、ＲＵＩ又は放送時間変更メッセージなどのような情報をモバイルフォン１００に伝送する。
【０１０５】
保存部２７０は、放送受信部２１０から受信された放送番組に対する情報、遠隔制御のための情報及びテレビ２００の全般を動作させるためのプログラムを保存する。放送番組に対する情報には、上述のＥＰＧが含まれ、遠隔制御のような情報には上述のＲＵＩが含まれる。
【０１０６】
なお、保存部２７０は、上述の予約録画命令に従って予約録画された放送番組を保存する。このような保存部２７０は、ハードディスクや非揮発性メモリなどで実現されてよい。
【０１０７】
ユーザ入力部２４０は、リモコン（図示せず）又はテレビ２００のフロントパネルに設けられる操作ボタン（図示せず）などを介して入力されるユーザ命令を制御部２５０に伝達する。
【０１０８】
制御部２５０は、ユーザ入力部２４０から伝達されたユーザ命令又は通信部２５０を介してモバイルフォン１００から伝達された遠隔制御命令に応じてテレビ２００の動作の全般を制御する。
【０１０９】
＜遠隔制御に対する変形可能な実施形態＞
一方、以上では、テレビ２００からテレビ２００を操作するために使われるＵＩが提供されるものとして想定していたが、それは便宜上のための例示的な事項に過ぎない。従って、このようなＵＩは必ずしもテレビ２００から受信されなければならないものではなく、テレビ２００をホームデバイスとして置いているホームサーバ（図示せず）からＵＩを受信する場合、又はモバイルフォン１００にＵＩが予め保存されている場合にも、本発明の技術的な思想がそのまま適用されてよい。
【０１１０】
一方、以上では、モバイルフォン１００がテレビ２００からテレビ２００を操作するために使われるＲＵＩ（Ｒｅｍｏｔｅ  Ｕｓｅｒ  Ｉｎｔｅｒｆａｃｅ）が提供され得ると上述しており、このようなＲＵＩが実際にテレビ２００を操作する際に使われるリモコン（図示せず）のボタンに対する模様と同様の形のグラフィックとなっているＧＵＩと述べた。しかし、それも説明の便宜上のための例示的な事項に過ぎず、ＲＵＩがリモコン（図示せず）のボタンに対する模様ではない、リモコン（図示せず）を操作する際、テレビ２００に表示される画面と同様の形態のグラフィックとなっているＧＵＩであってよい。
【０１１１】
特に、上述のようなモバイルフォン１００は、タッチスクリーン方式で動作可能であるため、テレビ２００に表示される画面と同様の形態のＧＵＩをＲＵＩとして提供しても、ユーザの操作時には、まるでテレビ２００を操作するものと同様の効果を感じることができるようになる。
【０１１２】
なお、以上では、ユーザの指定した放送番組がテレビ２００にそのまま予約録画され、モバイルフォン１００に伝送されるものとして想定していたが、それも説明の便宜上のための例示的な事項に過ぎない。従って、ユーザはテレビ２００に予約録画された放送番組のうち、ハイライト部分のみチャプタ付けされてモバイルフォン１００に伝送されたり、予約録画の際に放送番組のうちハイライト部分のみがチャプタ付けされ、予約録画されるように設定できてよい。このように、ハイライトをチャプタ付けする方法には、次のようなものを例として挙げることができる。
【０１１３】
先ず、視聴率集計機関において、リアルタイムで集計された視聴率に基づいてハイライトをチャプタ付けする方法である。この場合、放送番組の実際の放送時間と視聴率集計時間との差を考慮し、テレビ２００には放送番組がすべて予約録画され、モバイルフォン１００に伝送時にハイライトをチャプタ付けして伝送することができる。
【０１１４】
なお、スポーツ試合のような場合、得点の場面や得点機会の場面を把握してハイライトをチャプタ付けする方法である。そのために、テレビ２００が得点の場面や得点機会の場面を自主的に選別可能な機能を備えなければならない。それに対する例として、放送番組に対する音声分析を通じて解説者の声（オーディオ）が大きくなる箇所を選別したり、放送番組に対する映像分析を通じて画面にスコアが変更される箇所から一定時間以前の部分を選別する機能などを挙げてよい。
【０１１５】
次に、前回の放送の最後の部分で放送されていた「次回の放送の主要場面」に関連する部分に対する情報に基づいてハイライトをチャプタ付けする方法である。それは、テレビ２００に前回の放送の番組が保存されている場合でなければならない。
【０１１６】
一方、以上のように、テレビ２００に予約録画された放送番組のうち、ハイライト部分のみがチャプタ付けされてモバイルフォン１００に伝送されるためには、予約録画の際に放送番組のうちハイライト部分のみがチャプタ付けされて予約録画されるように設定されてよい。このように、ハイライトをチャプタ付けする方法には、次のようなものを例として挙げられる。
【０１１７】
そして、以上では、遠隔制御の例として、放送番組の予約録画に基づいて説明しており、遠隔制御システムの例として、遠隔制御デバイスであるモバイルフォン１００と放送番組の予約録画のためのデバイスであるテレビ２００に基づいて説明したが、それも例示的なものに過ぎない。別の内容の遠隔制御又は遠隔制御システムが使われる場合にも、本発明の技術的な思想がそのまま適用されてよい。
【０１１８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2013502818.tif 000003
【図２】
2013502818.tif 000004
【図３】
2013502818.tif 000005
【図４】
2013502818.tif 000006
【図５】
2013502818.tif 000007
【図６】
2013502818.tif 000008
【図７】
2013502818.tif 000009
【図８】
2013502818.tif 000010
【図９】
2013502818.tif 000011
【図１０】
2013502818.tif 000012
【図１１】
2013502818.tif 000013
【図１２】
2013502818.tif 000014
【図１３】
2013502818.tif 000015
【図１４】
2013502818.tif 000016
【図１５】
2013502818.tif 000017
【図１６】
2013502818.tif 000018
【図１７】
2013502818.tif 000019
【国際調査報告】
2013502818.tif 000020
2013502818.tif 000021